(57)【要約】【課題】ユーザにより強い印象を与えながらコンテンツを閲覧させることが可能な技術を提供する。【解決手段】コンテンツ表示領域と前記コンテンツ表示領域に隣接する領域との境界線が波形状を有し、かつ、前記境界線が時間の経過とともに変動して表示されるように表示部を制御するための制御信号を生成する表示制御部と、前記制御信号を前記表示部へ出力する出力部と、を備える、表示制御装置が提供される。【選択図】図１
2014103544.tif 000002
【特許請求の範囲】
【請求項１】
コンテンツ表示領域と前記コンテンツ表示領域に隣接する領域との境界線が波形状を有し、かつ、前記境界線が時間の経過とともに変動して表示されるように表示部を制御するための制御信号を生成する表示制御部と、
前記制御信号を前記表示部へ出力する出力部と、
を備える、表示制御装置。
【請求項２】
前記表示制御装置は、コンテンツに関連付けられた優先度を取得する優先度取得部を備え、
前記表示制御部は、前記優先度に応じて前記境界線を変動させる、
請求項１に記載の表示制御装置。
【請求項３】
前記優先度取得部は、ユーザにより入力された値を前記優先度として取得する、
請求項２に記載の表示制御装置。
【請求項４】
前記優先度取得部は、前記優先度を算出することにより前記優先度を取得する、
請求項２に記載の表示制御装置。
【請求項５】
前記表示制御部は、前記優先度に応じて前記境界線の変動に関する所定のパラメータを変化させる、
請求項２に記載の表示制御装置。
【請求項６】
前記表示制御部は、前記優先度に応じて前記所定のパラメータとして前記境界線の変化速度を変化させる、
請求項５に記載の表示制御装置。
【請求項７】
前記変化速度は、前記境界線が有する波形状の周期である、
請求項６に記載の表示制御装置。
【請求項８】
前記変化速度は、前記境界線の振動速度である、
請求項６に記載の表示制御装置。
【請求項９】
前記表示制御部は、前記優先度に応じて前記所定のパラメータとして前記境界線の変動の基準位置を変化させる、
請求項５に記載の表示制御装置。
【請求項１０】
前記表示制御部は、前記優先度に応じた速度で前記コンテンツにおける表示対象領域を前記コンテンツ内において移動させる、
請求項５に記載の表示制御装置。
【請求項１１】
前記表示制御装置は、コンテンツに対する認識により前記コンテンツに含まれる所定の領域の位置を認識結果として取得する認識部を備え、
前記表示制御部は、前記認識結果に応じて前記境界線を変動させる、
請求項１に記載の表示制御装置。
【請求項１２】
前記表示制御部は、前記所定の領域の位置に応じて前記コンテンツにおける表示対象領域の位置を変化させる、
請求項１１に記載の表示制御装置。
【請求項１３】
前記所定の領域は、前記コンテンツに所定のテキストデータが含まれる場合、前記所定のテキストデータが存在する領域である、
請求項１２に記載の表示制御装置。
【請求項１４】
前記所定の領域は、前記コンテンツに所定の物体が含まれる場合、前記所定の物体が存在する領域である、
請求項１２に記載の表示制御装置。
【請求項１５】
前記境界線は、前記コンテンツ表示領域と前記コンテンツ表示領域に隣接する他のコンテンツ表示領域との境界線である、
請求項１に記載の表示制御装置。
【請求項１６】
コンテンツ表示領域と前記コンテンツ表示領域に隣接する領域との境界線が波形状を有し、かつ、前記境界線が時間の経過とともに変動して表示されるように表示部を制御するための制御信号を生成することと、
前記制御信号を前記表示部へ出力することと、
を含む、表示制御方法。
【請求項１７】
コンピュータを、
コンテンツ表示領域と前記コンテンツ表示領域に隣接する領域との境界線が波形状を有し、かつ、前記境界線が時間の経過とともに変動して表示されるように表示部を制御するための制御信号を生成する表示制御部と、
前記制御信号を前記表示部へ出力する出力部と、
を備える表示制御装置として機能させるためのプログラムを記録した、コンピュータに読み取り可能な記録媒体。
【発明の詳細な説明】
【技術分野】
【０００１】
本開示は、表示制御装置、表示制御方法および記録媒体に関する。
【背景技術】
【０００２】
近年、通信技術の発達や記録媒体の記憶容量の増加に伴って、ユーザによって扱われるコンテンツの数も増大してきている。そこで、コンテンツ群を簡易に閲覧できるようにするための技術として様々な技術が開示されている。例えば、コンテンツ群をリスト状にして並べて表示する技術が開示されている（例えば、特許文献１参照。）。この特許文献１には、コンテンツ群の並び順の例として、コンテンツ群それぞれの更新の時系列順を使用することが記載されている。【０００３】
かかる技術によれば、コンテンツ群がリスト状に並べられて表示されるため、コンテンツ群を簡易に閲覧できるようにすることができる。
【先行技術文献】
【特許文献】
【０００４】
【特許文献１】特開２０１１−２２８１１号公報
【発明の概要】
【発明が解決しようとする課題】
【０００５】
しかしながら、かかる技術においては、コンテンツのうち表示される領域が静的な矩形をしており、ユーザにさほど強い印象を与えることができない。そのため、かかる技術はユーザにより強い印象を与えながらコンテンツを閲覧させる技術としては十分ではない。したがって、ユーザにより強い印象を与えながらコンテンツを閲覧させることが可能な技術が実現されることが望ましい。
【課題を解決するための手段】
【０００６】
本開示によれば、コンテンツ表示領域と前記コンテンツ表示領域に隣接する領域との境界線が波形状を有し、かつ、前記境界線が時間の経過とともに変動して表示されるように表示部を制御するための制御信号を生成する表示制御部と、前記制御信号を前記表示部へ出力する出力部と、を備える、表示制御装置が提供される。【０００７】
また、本開示によれば、コンテンツ表示領域と前記コンテンツ表示領域に隣接する領域との境界線が波形状を有し、かつ、前記境界線が時間の経過とともに変動して表示されるように表示部を制御するための制御信号を生成することと、前記制御信号を前記表示部へ出力することと、を含む、表示制御方法が提供される。【０００８】
また、本開示によれば、コンピュータを、コンテンツ表示領域と前記コンテンツ表示領域に隣接する領域との境界線が波形状を有し、かつ、前記境界線が時間の経過とともに変動して表示されるように表示部を制御するための制御信号を生成する表示制御部と、前記制御信号を前記表示部へ出力する出力部と、を備える表示制御装置として機能させるためのプログラムを記録した、コンピュータに読み取り可能な記録媒体が提供される。
【発明の効果】
【０００９】
以上説明したように本開示によれば、ユーザにより強い印象を与えながらコンテンツを閲覧させることが可能である。
【図面の簡単な説明】
【００１０】
【図１】本開示の実施形態に係る表示制御装置の外観例を示す図である。
【図２】コンテンツの読み取り手法の一例を示す図である。
【図３】本開示の実施形態に係る表示制御装置の機能構成例を示す図である。
【図４】本開示の実施形態に係る表示制御装置の機能の概要を説明するための図である。
【図５】境界線の変動の一例を説明するための図である。
【図６】コンテンツに所定のテキストデータが含まれる場合における表示例を示す図である。
【図７】コンテンツに所定の物体が含まれる場合における表示例を示す図である。
【図８】優先度に応じて境界線の変動の基準位置を変化させる場合における表示例を示す図である。
【図９】優先度に応じて境界線の変動の基準位置を変化させる例を説明するための図である。
【図１０】優先度に応じて境界線が有する波形状の周期を変化させる例を説明するための図である。
【図１１】優先度に応じた速度でコンテンツにおける表示対象領域をコンテンツ内において移動させる場合における表示例を示す図である。
【図１２】表示画面にリストの端が達した場合における第１の表示例を示す図である。
【図１３】表示画面にリストの端が達した場合における第２の表示例を示す図である。
【図１４】表示画面にリストの端が達した場合における第３の表示例を示す図である。
【図１５】本開示の実施形態に係る表示制御装置の他の外観例を示す図である。
【図１６】複数の表示制御装置の間でコンテンツ送受信を行う場合の例を説明するための図である。
【図１７】複数の表示制御装置の間でコンテンツ送受信を行う場合の例を説明するための図である。
【図１８】複数の表示制御装置の間でコンテンツ送受信を行う場合の例を説明するための図である。
【図１９】本開示の実施形態に係る表示制御装置のハードウェア構成例を示す図である。
【発明を実施するための形態】
【００１１】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１２】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１３】
また、以下に示す項目順序に従って当該「発明を実施するための形態」を説明する。
１．実施形態
１−１．表示制御装置の外観例
１−２．コンテンツの読み取り手法の例
１−３．表示制御装置の機能構成例
１−４．表示制御装置の機能の概要
１−５．境界線の変動の例
１−６．表示画面にリストの端が達した場合
１−７．表示制御装置の他の外観例
１−８．複数の装置間でのコンテンツ送受信
１−９．ハードウェア構成例
２．むすび
【００１４】
＜＜１．実施形態＞＞
まず、本開示の実施形態について説明する。
【００１５】
［１−１．表示制御装置の外観例］
最初に、本開示の実施形態に係る表示制御装置１０の外観例について説明する。図１は、本開示の実施形態に係る表示制御装置１０の外観例を示す図である。表示制御装置１０は、コンテンツが表示される領域（以下、「コンテンツ表示領域」とも言う。）が複数並べられてなるリストが表示画面１６１に表示されるように制御することが可能である。例えば、図１に示すように、表示制御装置１０は、リストの例としてコンテンツ表示領域Ｃ１〜Ｃ６が表示画面１６１に表示されるように制御することができる。
【００１６】
図１に示した例では、リストに６つのコンテンツ表示領域が含まれているが、リストに含まれるコンテンツ表示領域の数は特に限定されない。また、本実施形態では、図１に示すように、複数のコンテンツが順に重ね合わされることによりリストが生成される場合を想定している。しかし、かかるリスト生成は一例に過ぎないため、複数のコンテンツに基づいてどのようにリストが生成されるかといった点に関しては、特に限定されない。
【００１７】
また、コンテンツの種類は特に限定されない。例えば、コンテンツは、画像データであってもよいし、テキストデータであってもよいし、その他の種類のコンテンツであってもよい。画像データは、静止画の画像データであってもよいし、動画像の画像データであってもよい。図１に示された例では、表示制御装置１０が表示画面１６１を備えているが、表示画面１６１は、表示制御装置１０の外部に存在してもよく、ネットワークを介して表示制御装置１０と接続されていてもよい。
【００１８】
図１に示すように、表示画面１６１には、選択表示モード表示領域１６２が含まれていてもよい。選択表示モード表示領域１６２には、現在選択されている表示モードが表示される。ここで、表示モードには、図１に示すように、各コンテンツ表示領域の並び順の決定を表示制御装置１０に委ねる「おまかせモード」があってもよい。また、表示モードには、優先度に応じた順序で各コンテンツ表示領域を並べる「優先度順モード」があってもよく、表示コンテンツに関連付けられた時刻に応じた順序で各コンテンツ表示領域を並べる「時系列順モード」、他のユーザから提供された各コンテンツ表示領域を並べる「ソーシャルモード」などがあってもよい。
【００１９】
また、図１に示すように、表示画面１６１には、選択キーワード表示領域１６３が含まれていてもよい。選択キーワード表示領域１６３には、現在選択されているキーワードが表示される。例えば、表示制御部１１１は、現在選択されているキーワードに応じた各コンテンツ表示領域をリストとして表示画面１６１に表示させてもよい。図１に示した例では、現在選択されているキーワードである「元気」「励まし」に応じた各コンテンツ表示領域がリストとして表示画面１６１に表示されている。
【００２０】
ここで、例えば、コンテンツ表示領域が静的な矩形をしている場合、ユーザにはさほど強い印象を与えることができない。そのため、ユーザにより強い印象を与えながらコンテンツを閲覧させることが可能な技術が実現されることが望ましい。そこで、本明細書においては、図１に示すように、コンテンツ表示領域とコンテンツ表示領域に隣接する領域との境界線が波形状を有し、かつ、境界線が時間の経過とともに変動して表示されるように制御する技術を提案する。これにより、ユーザにより強い印象を与えながらコンテンツを閲覧させることが可能となることが期待される。
【００２１】
以上、本開示の実施形態に係る表示制御装置１０の外観例について説明した。ところで、制御部１１０に提供されるコンテンツは、記憶部１３０により記憶されているコンテンツであってもよいし、所定のサーバからストリーミング配信されたコンテンツであってもよい。記憶部１３０により記憶されているコンテンツが制御部１１０に提供される場合には、他の装置から受信したコンテンツが記憶部１３０により記憶されてもよいし、読取装置２０により読み取られたコンテンツが記憶部１３０により記憶されてもよい。
【００２２】
［１−２．コンテンツの読み取り手法の例］
以下、読取装置２０により読み取られたコンテンツが記憶部１３０により記憶される例について説明する。図２は、コンテンツの読み取り手法の一例を示す図である。図２に示すように、読取装置２０は、読取部２１１を備える。例えば、ユーザは、紙面（例えば、本や雑誌、広告など）を閲覧しているときに、記録しておきたい部分（例えば、文章、絵、写真など）がその紙面上にあった場合には、その部分を読取部２１１に読み取らせることができる。読取部２１１によって読み取られた部分は、コンテンツとして記憶部１３０により記憶される。記録しておきたい部分はユーザが感動した部分であってもよい。
【００２３】
図２に示すように、読取装置２０は、読取部２１１の他に、読取部２１１よりも読み取り範囲が広い読取部２１２を備えていてもよい。また、図２に示すように、読取装置２０は、そのコンテンツの優先度を入力する優先度入力部２２０を備えていてもよい。優先度入力部２２０は、例えば、圧力センサを含んでいてもよい。かかる場合には、優先度入力部２２０は、圧力センサに対してユーザにより与えられる力の大きさに応じた優先度を入力することができる。しかし、優先度入力部２２０は、圧力センサを含まなくてもよい。
【００２４】
例えば、優先度入力部２２０は、脈拍センサを含んでいてもよい。かかる場合には、優先度入力部２２０は、ユーザの心拍数に応じた優先度を入力することができる。例えば、優先度入力部２２０は、ユーザの心拍数が高いほど、そのコンテンツに対するユーザの感動度は高いことが予想されるため、高い優先度を入力してもよい。また、例えば、優先度入力部２２０は、加速度センサを含んでもよい。かかる場合には、優先度入力部２２０は、加速度センサに対して与えられる加速度に応じた優先度を入力することができる。
【００２５】
また、例えば、優先度入力部２２０は、操作部１２０を介して優先度を入力することも可能である。かかる場合には、優先度入力部２２０は、操作部１２０に対してユーザにより与えられる操作に応じた優先度を入力することができる。ここで、操作部１２０に対して与えられる操作の種類は特に限定されず、例えば、ユーザがコンテンツ表示領域をタッチしながら動かす指の動き（例えば、指の速度や加速度など）に応じた優先度が入力されてもよい。
【００２６】
また、図２に示すように、読取装置２０は、入力された優先度を出力するための優先度出力部２３０を備えていてもよい。優先度出力部２３０は、例えば、ライトにより構成されていてもよい。かかる場合には、優先度出力部２３０は、入力された優先度に応じた強さの光を発することができる。しかし、優先度出力部２３０は、ライト以外によって構成されていてもよい。例えば、優先度出力部２３０は、ユーザに振動を与える振動発生装置によって構成されていてもよい。かかる場合には、優先度出力部２３０は、入力された優先度に応じた強さの振動を発生させることができる。
【００２７】
このようにして読取装置２０により読み取られたコンテンツは、記憶部１３０により記憶されて制御部１１０に提供され得る。また、入力された優先度も、記憶部１３０により記憶されて制御部１１０に提供され得る。なお、本明細書においては、優先度が入力される場合を主として説明するが、優先度は必ずしも入力されなくてもよい。例えば、優先度は、表示制御装置１０によって算出されてもよい。
【００２８】
［１−３．表示制御装置の機能構成例］
続いて、本開示の実施形態に係る表示制御装置１０の機能構成例について説明する。図３は、本開示の実施形態に係る表示制御装置１０の機能構成例を示す図である。図３に示すように、表示制御装置１０は、制御部１１０、操作部１２０、記憶部１３０、通信部１４０、出力部１５０および表示部１６０を備える。
【００２９】
制御部１１０は、例えば、ＣＰＵ（Ｃｅｎｔｒａｌ  Ｐｒｏｃｅｓｓｉｎｇ  Ｕｎｉｔ）などのプロセッサに相当する。制御部１１０は、記憶部１３０または他の記憶媒体に記憶されるプログラムを実行することにより、制御部１１０が有する様々な機能を発揮する。制御部１１０は、表示制御部１１１、優先度取得部１１２および認識部１１３を有する。表示制御部１１１は、コンテンツ表示領域とコンテンツ表示領域に隣接する領域との境界線が波形状を有し、かつ、境界線が時間の経過とともに変動して表示されるように表示部１６０を制御するための制御信号を生成する。優先度取得部１１２および認識部１１３それぞれが有する機能については後に説明する。
【００３０】
操作部１２０は、ユーザ操作を検出して制御部１１０に出力する。本明細書においては、操作部１２０がタッチパネルにより構成される場合を想定しているため、ユーザ操作はユーザの指を操作体として入力される。しかし、操作部１２０はタッチパネル以外のハードウェアにより構成されていてもよい。なお、図２に示した例では、操作部１２０は表示制御装置１０と一体化されているが、操作部１２０は、表示制御装置１０と別体に構成されていてもよい。
【００３１】
記憶部１３０は、半導体メモリまたはハードディスクなどの記憶媒体を用いて、制御部１１０を動作させるためのプログラムを記憶する。また、例えば、記憶部１３０は、プログラムによって使用される各種のデータ（例えば、各種の設定情報、コンテンツなど）を記憶することもできる。なお、図３に示した例では、記憶部１３０は表示制御装置１０と一体化されているが、記憶部１３０は表示制御装置１０と別体に構成されていてもよい。
【００３２】
通信部１４０は、他の表示制御装置１０と通信を行うことが可能である。通信部１４０による通信の形式は特に限定されず、通信部１４０による通信は、無線による通信であってもよいし、有線による通信であってもよい。なお、図３に示した例では、通信部１４０は表示制御装置１０と一体化されているが、通信部１４０は、表示制御装置１０と別体に構成されていてもよい。
【００３３】
出力部１５０は、表示制御部１１１により生成された制御信号を表示部１６０へ出力する。例えば、出力部１５０は、表示部１６０が制御部１１０と一体化されている場合には、表示部１６０および制御部１１０が接続されているバスと制御部１１０とを接続するインタフェースに相当する。また、例えば、出力部１５０は、表示部１６０が制御部１１０とネットワークを介して別体に構成されている場合には、制御部１１０とネットワークとを接続するためのインタフェースに相当する。
【００３４】
表示部１６０は、表示制御部１１１による制御に従って、各種情報の表示を行う。表示部１６０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ装置などにより構成される。なお、図３に示した例では、表示部１６０は表示制御装置１０と一体化されているが、表示部１６０は表示制御装置１０と別体に構成されていてもよい。
【００３５】
以上、本開示の実施形態に係る表示制御装置１０の機能構成例について説明した。
【００３６】
［１−４．表示制御装置の機能の概要］
続いて、本開示の実施形態に係る表示制御装置１０の機能の概要について説明する。図４は、本開示の実施形態に係る表示制御装置１０の機能の概要を説明するための図である。なお、以下において、選択操作はタッチ操作により行われ、拡大操作はピンチイン操作により行われ、縮小操作はピンチアウト操作により行われる例を主に説明するが、選択操作、拡大操作および縮小操作は、どのような操作によって実現されてもよい。
【００３７】
まず、表示制御部１１１は、キーワードを選択するためのキーワード選択画面が表示されるように制御する。キーワード選択画面には、キーワード１６４が含まれている。キーワード１６４は、コンテンツに関連付けられており、例えば、そのコンテンツを閲覧したユーザからコメントが書き込まれた場合には、そのコメントからの抽出によって得られる。ユーザは、キーワード選択画面に表示されたキーワード１６４から所望のキーワードを選択することができる。
【００３８】
例えば、キーワード選択画面においてユーザによりタッチ操作がなされると、表示制御部１１１は、コンテンツ表示領域が複数並べられてなる一覧表示画面が表示されるように制御する。例えば、図４に示すように、表示制御部１１１は、選択されたキーワードに応じたコンテンツ表示領域Ｃ１〜Ｃ６が並べられた一覧表示画面が表示されるように制御することができる。一覧表示画面においてユーザによりタッチ操作がなされると、表示制御部１１１は、キーワード選択画面が表示されるように制御する。
【００３９】
一方、一覧表示画面においてユーザによりコンテンツ表示領域に対するピンチイン操作がなされると、図４に示すように、表示制御部１１１は、そのコンテンツ表示領域のサイズが拡大された拡大画面が表示されるように制御する。また、拡大画面においてユーザによりそのコンテンツ表示領域に対するピンチアウト操作がなされると、図４に示すように、表示制御部１１１は、そのコンテンツ表示領域のサイズが元に戻された一覧表示画面が表示されるように制御する。
【００４０】
以上、本開示の実施形態に係る表示制御装置１０の機能の概要について説明した。
【００４１】
［１−５．境界線の変動の例］
図５は、境界線の変動の一例を説明するための図である。図５に示すように、境界線は、コンテンツ表示領域とコンテンツ表示領域に隣接する他のコンテンツ表示領域との境界線であってもよい。ここで、例えば、コンテンツ表示領域Ｃ３とこれに隣接するコンテンツ表示領域Ｃ２との境界線の波形状を波Ａとし、コンテンツ表示領域Ｃ４とこれに隣接するコンテンツ表示領域Ｃ３との境界線の波形状を波Ｂとし、コンテンツ表示領域Ｃ５とこれに隣接するコンテンツ表示領域Ｃ４との境界線の波形状を波Ｃとする。
【００４２】
かかる場合、波Ａの振幅をＡｙとし、波Ｂの振幅をＢｙとし、波Ａおよび波Ｂそれぞれの基準位置間の距離をｈとすると、波Ａと波Ｂとが交わってしまうことを回避するため、表示制御部１１１は、以下の式（１）を満たすように、Ａｙ、Ｂｙおよびｈを決定するとよい。
【００４３】
ｈ＞Ａｙ＋Ｂｙ  ・・・（１）
【００４４】
また、コンテンツ表示領域の高さをＨとすると、表示画面１６１内に空白が生じないようにするため、表示制御部１１１は、以下の式（２）を満たすように、Ａｙ、Ｂｙ、ｈおよびＨを決定するとよい。
【００４５】
Ｈ＝ｈ＋Ａｙ＋Ｂｙ  ・・・（２）
【００４６】
なお、上記したように、境界線は波形状を有し、かつ、時間の経過とともに変動して表示されるように制御されるが、境界線の変動はどのような変動であってもよい。以下の説明においては、境界線の有する波形状が、振動しない部分に相当する節と振動する部分に相当する腹とを有する定常波である場合を主に例として説明する。しかし、境界線の有する波形状は、その形状自体は固定化された状態において所定の方向に移動する進行波であってもよい。
【００４７】
ここで、表示制御部１１１は、コンテンツにおいて表示対象となる領域（以下、「表示対象領域」とも言う。）を選択するが、表示対象領域の選択手法としては様々な手法が想定される。例えば、認識部１１３は、コンテンツに対する認識によりコンテンツに含まれる所定の領域の位置を認識結果として取得し、表示制御部１１１は、認識部１１３により取得された認識結果に応じて境界線を変動させてもよい。より詳細には、表示制御部１１１は、所定の領域の位置に応じてコンテンツにおける表示対象領域の位置を変化させてもよい。ここで、所定の領域はどのような領域であってもよい。例えば、所定の領域は、コンテンツに所定のテキストデータが含まれる場合、所定のテキストデータが存在する領域であってもよい。
【００４８】
図６は、コンテンツに所定のテキストデータが含まれる場合における表示例を示す図である。図６に示すように、コンテンツ表示領域Ｃ３に表示されるコンテンツに、ユーザにより選択されたキーワード「元気」が含まれているとする。かかる場合、認識部１１３は、コンテンツに対する認識によりコンテンツに含まれるキーワード「元気」が存在する領域の位置を取得し、表示制御部１１１は、キーワード「元気」が存在する領域の位置がコンテンツ表示領域Ｃ３に収まるタイミングが存在するようにコンテンツにおける表示対象領域Ｃ３１の位置を決定してもよい。
【００４９】
なお、所定のテキストデータはユーザにより選択されたキーワード以外のテキストデータであってもよい。例えば、所定のテキストデータは、ユーザによりあらかじめ登録されたテキストデータであってもよいし、あらかじめ辞書データとして登録されている所定の品詞（例えば、固有名詞または接続詞など）であってもよい。また、所定のテキストデータは、ユーザによるコンテンツの閲覧履歴などから抽出されたテキストデータ（例えば、コンテンツの出演者など）であってもよい。
【００５０】
また、例えば、所定の領域は、コンテンツに所定の物体が含まれる場合、所定の物体が存在する領域であってもよい。図７は、コンテンツに所定の物体が含まれる場合における表示例を示す図である。図７に示すように、コンテンツ表示領域Ｃ３に表示されるコンテンツに、顔領域が含まれているとする。かかる場合、認識部１１３は、コンテンツに対する認識によりコンテンツに含まれる顔領域の位置を取得し、表示制御部１１１は、顔領域の位置がコンテンツ表示領域Ｃ３に収まるようにコンテンツにおける表示対象領域Ｃ３２の位置を調整してもよい。
【００５１】
なお、所定の物体は顔領域以外の物体であってもよい。例えば、所定の物体は、ユーザによりあらかじめ登録された物体であってもよいし、あらかじめ辞書データとして登録されている所定の物体であってもよい。
【００５２】
以上においては、コンテンツに含まれる所定の領域の位置を認識結果として取得し、認識結果に応じて境界線を変動させる例を示したが、境界線は、コンテンツに関連付けられた優先度に応じて変動されてもよい。かかる場合には、優先度取得部１１２は、コンテンツに関連付けられた優先度を取得し、表示制御部１１１は、優先度取得部１１２により取得された優先度に応じて境界線を変動させればよい。
【００５３】
ここで、優先度取得部１１２による優先度の取得の手法は特に限定されず、優先度取得部１１２は、ユーザにより入力された値を優先度として取得してもよいし、優先度を算出することにより優先度を取得してもよい。
【００５４】
ユーザによる値の入力手法については、上記したように様々な手法が想定されるが、優先度取得部１１２は、優先度入力部２２０により入力された優先度を取得してもよい。また、優先度取得部１１２による優先度の算出手法は特に限定されない。例えば、優先度取得部１１２は、コンテンツに関連付けられている各種情報（例えば、コンテンツに対する評価、コンテンツの閲覧履歴、コンテンツに関する所定の時期など）に基づいて算出してもよい。
【００５５】
例えば、優先度取得部１１２は、コンテンツに対する評価が高いほど優先度を高く算出してもよい。また、優先度取得部１１２は、コンテンツの閲覧履歴からユーザの嗜好を解析し、ユーザの嗜好に近いコンテンツほど優先度を高く算出してもよい。また、優先度取得部１１２は、現在からコンテンツに関する所定の時期（例えば、コンテンツの一般公開時期、コンテンツの販売開始時期など）までの期間が近いコンテンツほど優先度を高く算出してもよい。
【００５６】
優先度に応じて境界をどのように変動させるかといった点に関しても特に限定されない。例えば、表示制御部１１１は、優先度に応じて境界線の変動に関する所定のパラメータを変化させればよい。例えば、表示制御部１１１は、優先度に応じて所定のパラメータとして境界線の変動の基準位置を変化させてもよい。図８は、優先度に応じて境界線の変動の基準位置を変化させる場合における表示例を示す図である。
【００５７】
図８に示すように、他のコンテンツより優先度が高いコンテンツがコンテンツ表示領域Ｃ４に表示されるとする。かかる場合、表示制御部１１１は、コンテンツ表示領域Ｃ４とコンテンツ表示領域Ｃ４に隣接する領域との境界線の変動の基準位置を変化させてもよい。例えば、図８に示すように、表示制御部１１１は、境界線の変動の基準位置をコンテンツ表示領域Ｃ４が拡がるように変化させてもよい。また、表示制御部１１１は、境界線の基準位置を一時的に変化させてもよい。
【００５８】
図９は、優先度に応じて境界線の変動の基準位置を変化させる例を説明するための図である。図９には、境界線の変動の基準位置間の距離がｈ２〜ｈ５として示されている。ここで、コンテンツ表示領域Ｃ４，Ｃ５それぞれのコンテンツの優先度よりも、コンテンツ表示領域Ｃ２，Ｃ３それぞれのコンテンツの優先度が高い場合には、図９に示すように、表示制御部１１１は、境界線の変動の基準位置をコンテンツ表示領域Ｃ２，Ｃ３それぞれが拡がるように変化させてもよい。
【００５９】
また、例えば、表示制御部１１１は、優先度に応じて所定のパラメータとして境界線の変化速度を変化させてもよい。ここで、境界線の変化速度としては様々な速度が想定される。例えば、境界線の変化速度は、境界線が有する波形状の周期であってもよい。図１０は、優先度に応じて境界線が有する波形状の周期を変化させる例を説明するための図である。
【００６０】
図５に示した例と同様に、図１０に示した例においても、コンテンツ表示領域Ｃ３とこれに隣接するコンテンツ表示領域Ｃ２との境界線の波形状を波Ａとし、コンテンツ表示領域Ｃ４とこれに隣接するコンテンツ表示領域Ｃ３との境界線の波形状を波Ｂとし、コンテンツ表示領域Ｃ５とこれに隣接するコンテンツ表示領域Ｃ４との境界線の波形状を波Ｃとする。
【００６１】
ここで、表示制御部１１１は、コンテンツ表示領域Ｃ４のコンテンツの優先度が他のコンテンツの優先度よりも高い場合には、コンテンツ表示領域Ｃ４とこれに隣接するコンテンツ表示領域Ｃ３との境界線が有する波形状（波Ｂの波形状）の周期を高くしてもよい。このように周期を変化させれば、ユーザの視線がコンテンツ表示領域Ｃ４に向けられる可能性が高まることが予想される。
【００６２】
なお、境界線の変化速度は、境界線が有する波形状の周期に限られない。例えば、境界線の変化速度は、境界線の振動速度であってもよい。図１０に示した例を用いて説明すれば、表示制御部１１１は、コンテンツ表示領域Ｃ３のコンテンツの優先度がコンテンツ表示領域Ｃ５の優先度よりも高い場合には、コンテンツ表示領域Ｃ３とこれに隣接するコンテンツ表示領域Ｃ２との境界線が有する波形状（波Ａの波形状）の振動速度を高くしてもよい。このように振動速度を変化させれば、ユーザの視線がコンテンツ表示領域Ｃ３に向けられる可能性が高まることが予想される。
【００６３】
以上の説明においては、コンテンツにおける表示対象領域は、コンテンツ内において固定されている場合を想定したが、コンテンツにおける表示対象領域は、コンテンツ内において移動されてもよい。すなわち、表示制御部１１１は、優先度に応じた速度でコンテンツにおける表示対象領域をコンテンツ内において移動させてもよい。図１１は、優先度に応じた速度でコンテンツにおける表示対象領域をコンテンツ内において移動させる場合における表示例を示す図である。
【００６４】
例えば、表示制御部１１１は、優先度に応じた速度でコンテンツにおける表示対象領域をコンテンツ内において移動させてもよく、優先度が大きいコンテンツほど、そのコンテンツにおける表示対象領域をコンテンツ内において大きい速度によって移動させてもよい。このように移動速度を変化させれば、ユーザの視線が移動速度の大きいコンテンツ表示領域に向けられる可能性が高まることが予想される。
【００６５】
なお、例えば、表示制御部１１１が、コンテンツ表示領域Ｃ４に表示されるコンテンツにおける表示対象領域を所定の方向（例えば、下方向）に移動させると、コンテンツ表示領域Ｃ４に表示されるコンテンツは所定の方向とは逆方向（例えば、上方向）に移動するように見える。一方、例えば、表示制御部１１１が、コンテンツ表示領域Ｃ４に表示されるコンテンツにおける表示対象領域を所定の方向（例えば、上方向）に移動させると、コンテンツ表示領域Ｃ４に表示されるコンテンツは所定の方向とは逆方向（例えば、下方向）に移動するように見える。
【００６６】
以上、本開示の実施形態に係る表示制御装置１０の機能の概要について説明した。
【００６７】
［１−６．表示画面にリストの端が達した場合］
ここで、ユーザ操作に従ってリストを移動させることが可能である場合、リストの端が表示画面１６１に達した場合には、その旨を示す表示がされればユーザにとって利便性が高い。以下では、リストの端が表示画面１６１に達した場合の表示例について説明する。なお、以下の説明においては、リストの移動が、ユーザによるドラッグ操作に従って行われる場合を主に説明するが、ユーザによりなされる操作はドラッグ操作に限定されない。
【００６８】
図１２は、表示画面１６１にリストの端が達した場合における第１の表示例を示す図である。図１２に示すように、ユーザによるドラッグ操作に従って、リストが移動された結果、リストの端が表示画面１６１に達したとする。かかる場合、図１２に示すように、表示制御部１１１は、リストの先頭であるコンテンツ表示領域Ｃ１がリストの末尾であるコンテンツ表示領域Ｃ６の次に表示されるようにしてもよい。なお、かかる第１の表示例は、リストの末尾のコンテンツの再生が終わった後、リストの先頭のコンテンツの再生に自動的に移行するような設定がされている場合には、ユーザにとって特に利便性が高いと考えられる。
【００６９】
図１３は、表示画面１６１にリストの端が達した場合における第２の表示例を示す図である。図１３に示すように、ユーザによるドラッグ操作に従って、リストが移動された結果、リストの端が表示画面１６１に達したとする。かかる場合、図１３に示すように、表示制御部１１１は、所定の表現（例えば、霧がかかったような表現）が表示されるように制御してもよい。かかる所定の表現はリストの端から表示画面１６１の内側に向けて動くがバネのように跳ね返って元の位置に戻るように表示されてもよい。
【００７０】
図１４は、表示画面１６１にリストの端が達した場合における第３の表示例を示す図である。図１４に示すように、ユーザによるドラッグ操作に従って、リストが移動された結果、リストの端が表示画面１６１に達したとする。かかる場合、図１４に示すように、表示制御部１１１は、所定のオブジェクト（例えば、「Ｒｅｐｅａｔ」が付されたマーク）が表示されるように制御してもよい。所定のオブジェクトがユーザによって選択された場合には、表示制御部１１１は、ユーザによるドラッグ操作に従って、リストの先頭であるコンテンツ表示領域Ｃ１がリストの末尾であるコンテンツ表示領域Ｃ６の次に表示されるように制御してもよい。
【００７１】
以上、リストの端が表示画面１６１に達した場合の表示例について説明した。
【００７２】
［１−７．表示制御装置の他の外観例］
続いて、本開示の実施形態に係る表示制御装置１０の他の外観例について説明する。図１５は、本開示の実施形態に係る表示制御装置１０の他の外観例を示す図である。図１５に示す例では、図１に示した例と同様に、表示制御部１１１は、コンテンツ表示領域が複数並べられてなるリストが表示画面１６１に表示されるように制御する。例えば、図１５に示すように、表示制御装置１０は、リストの例としてコンテンツ表示領域Ｃ１〜Ｃ６が表示画面１６１に表示されるように制御することができる。
【００７３】
しかし、図１５に示した例と図１に示した例とでは、表示画面１６１に表示される内容（例えば、各コンテンツ表示領域に表示されるコンテンツ、選択表示モード表示領域１６２に表示される選択表示モード、選択キーワード表示領域１６３に表示される選択キーワードなど）の向きが異なっている。すなわち、表示制御部１１１は、表示画面１６１の置かれる向きに応じて表示される内容の向きを変更することも可能である。
【００７４】
以上、本開示の実施形態に係る表示制御装置１０の他の外観例について説明した。
【００７５】
［１−８．複数の装置間でのコンテンツ送受信］
以上においては、表示制御装置１０が１つである場合について主に説明した。以下、表示制御装置１０が複数である場合に、複数の表示制御装置１０の間でなされるコンテンツ送受信の手法の例について説明する。図１６〜図１８は、複数の表示制御装置１０の間でコンテンツ送受信を行う場合の例を説明するための図である。なお、ここでは、複数の表示制御装置１０の例として、表示制御装置１０Ａと表示制御装置１０Ｂとを使用する。
【００７６】
まず、表示制御装置１０Ａと表示制御装置１０Ｂとの間でコネクションが生成される。コネクション生成の契機は、例えば、表示制御装置１０Ａと表示制御装置１０Ｂとの衝突の検出であってもよいが、特に限定されない。コネクション生成時には、各装置は、何らかのパラメータ（例えば、境界が有する波形状の振幅、周期など）を相手装置から受け取って、自装置によって表示制御されている境界の変動に利用してもよい。
【００７７】
例えば、各装置は、相手装置のコンテンツが表示されるように制御してもよい。図１６に示した例では、各装置において、自装置のコンテンツが自己領域Ｍに存在し、相手装置のコンテンツが相手領域Ｙに表示されるように制御されている。例えば、自己領域Ｍは、自装置の記憶部１３０における記憶領域の中身を示し、相手領域Ｙは、相手装置の記憶部１３０における記憶領域の中身を示している。
【００７８】
例えば、図１６に示すように、ユーザ操作により自己領域Ｍに存在するコンテンツを表示する旨を示す操作がなされると、自己領域Ｍに存在するコンテンツが表示されるように制御される。その代わりに、かかる操作がなされると、相手領域Ｙに表示されるように制御されていたコンテンツは、表示されなくなってもよい。自己領域Ｍに存在するコンテンツを表示する旨を示す操作は、図１６に示すように、自己領域Ｍから相手領域Ｙへのドラッグ操作により実現される。
【００７９】
ユーザは、相手領域Ｙに表示されたコンテンツ表示領域に対して所定の操作を行うことにより、そのコンテンツの優先度を入力することが可能である。例えば、図１７に示すように、ユーザはコンテンツ表示領域をタッチしながら動かす指の動き（例えば、指の速度や加速度など）に応じた優先度を入力することが可能である。ここで入力された優先度は、境界線の変動に関する所定のパラメータの変化に利用されてもよい。例えば、図１７に示すように、表示制御部１１１は、優先度に応じて境界線の変動の基準位置を変化させてもよい。
【００８０】
続いて、相手領域Ｙから自己領域Ｍにコンテンツをコピーする操作がなされた場合には、制御部１１０は、相手領域Ｙから自己領域Ｍにコンテンツをコピーすることができる。相手領域Ｙから自己領域Ｍにコンテンツをコピーする操作は、図１７に示すように、相手領域Ｙに表示されているコンテンツ表示領域から自己領域Ｍへのドラッグ操作により実現される。
【００８１】
同様に、自己領域Ｍから相手領域Ｙにコンテンツをコピーする操作がなされた場合には、制御部１１０は、自己領域Ｍから相手領域Ｙにコンテンツをコピーすることができる。自己領域Ｍから相手領域Ｙにコンテンツをコピーする操作は、図１８に示すように、自己領域Ｍに表示されているコンテンツ表示領域から相手領域Ｙへのドラッグ操作により実現される。
【００８２】
また、相手領域Ｙへのコンテンツのコピーが契機となり、相手領域Ｙから自己領域Ｍに何らかのコンテンツがコピーされてもよい。このとき、相手領域Ｙから自己領域Ｍにコピーされるコンテンツは、相手装置のユーザにより指定されたコンテンツ（例えば、おすすめのコンテンツなど）であってもよい。
【００８３】
以上、表示制御装置１０が複数である場合に、複数の表示制御装置１０の間でなされるコンテンツ送受信の手法の例について説明した。
【００８４】
［１−９．ハードウェア構成例］
続いて、表示制御装置１０のハードウェア構成例について説明する。図１９は、本開示の実施形態に係る表示制御装置１０のハードウェア構成例を示す図である。ただし、図１９に示したハードウェア構成例は、表示制御装置１０のハードウェア構成の一例を示したに過ぎない。したがって、表示制御装置１０のハードウェア構成は、図１９に示した例に限定されない。なお、以下では、本実施形態に係る表示制御装置１０は、例えば、ディスプレイパネル上にタッチパネルを備えた高機能型携帯電話端末やタブレット端末などである場合を主に想定して説明を続ける。
【００８５】
図１９に示した例において、通信アンテナ９０１は、例えば、内蔵アンテナであり、携帯電話網や公衆無線通信網を通じた通話や電子メールの送受信、本実施形態に係る表示制御プログラムを含む各種アプリケーションプログラムのダウンロード、インターネット等と通信するための信号電波の送受信を行う。
【００８６】
アンテナ回路９０２は、アンテナ切り替え器やマッチング回路、フィルタ回路などからなり、送受信回路部９０３は、携帯電話網や公衆無線通信網を通じた送受信信号の周波数変換、変調と復調などを行う。スピーカ９１５は、本実施形態に係る表示制御装置１０に設けられているスピーカであり、例えば、音楽再生や受話音出力、リンガ音（着信音）出力などに用いられる。マイクロホン９１６は、外部音声の集音や送話音声の集音などに用いられる。
【００８７】
音声信号処理部９１４は、スピーカ９１５用の増幅回路、マイクロホン９１６用の増幅回路、制御・演算部９０４から供給される圧縮符号化された音声データを伸張復号化する伸張復号化回路、当該伸張復号化後のデジタル音声データをアナログ音声信号に変換するデジタル／アナログ変換回路、マイクロホン９１６から入力されたアナログ音声信号をデジタル音声データに変換するアナログ／デジタル変換回路、当該デジタル音声データを圧縮符号化する圧縮符号化回路などからなる。
【００８８】
映像信号処理部９１１は、制御・演算部９０４から供給される圧縮符号化された映像データを伸張復号化する伸張復号化回路、当該伸張復号化後のデジタル映像や後述するデジタル放送受信モジュール９０９にて受信されたデジタル放送映像などを、ディスプレイパネル９１２へ表示させるディスプレイパネル駆動回路などからなる。また、本実施形態の場合、映像信号処理部９１１は、制御・演算部９０４から供給されるデスクトップ画像や各種メニュー画像、タッチパネル上の位置に対応した仮想タッチエリア画像などを表示するための映像信号を生成し、それら画像をディスプレイパネル９１２上に表示させる。
【００８９】
キー操作部９１９は、本実施形態に係る表示制御装置１０の筐体上に設けられたハードキーとその周辺回路などからなる。キー操作部９１９は、ユーザによるハードキーの押下操作入力を電気信号へ変換し、その操作入力信号を増幅及びアナログ／デジタル変換し、そのアナログ／デジタル変換後の操作入力データを制御・演算部９０４へ送る。
【００９０】
外部入出力端子部９１８は、例えばケーブルを通じてデータ通信を行う際のケーブル接続用コネクタと外部データ通信用インタフェース回路や、電源ケーブルなどを通じて内部電池を充電する際の充電端子とその充電用インタフェース回路などからなる。本実施形態の表示制御プログラムを含む各種アプリケーションプログラムは、外部入出力端子部９１８を介して取得されてもよい。
【００９１】
また、外部メモリＩ／Ｆ部９１０は、外部メモリなどの記憶媒体が着脱される外部メモリ用スロットと外部メモリデータ通信用インタフェース回路などからなる。本実施形態の表示制御プログラムを含む各種アプリケーションプログラムは、外部メモリＩ／Ｆ部９１０に挿着された外部メモリ等の記憶媒体を介して取得されてもよい。なお、前記記憶媒体は、本実施形態に係る表示制御装置１０の後述する表示を制御するための表示制御アプリケーションプログラムなどを記憶したものであってもよい。
【００９２】
近距離無線通信モジュール９０８は、無線ＬＡＮやブルートゥース（登録商標）などの近距離無線電波用の通信アンテナと、近距離無線通信回路とからなる。本実施形態の表示制御プログラムを含む各種アプリケーションプログラムは、近距離無線通信モジュール９０８を介して取得されてもよい。
【００９３】
デジタル放送受信モジュール９０９は、いわゆるデジタルテレビジョン放送やデジタルラジオ放送などの受信用アンテナとチューナとからなる。デジタル放送受信モジュール９０９は、１チャンネルのデジタル放送の受信のみならず、同時に複数チャンネルのデジタル放送を受信可能となされている。また、デジタル放送受信モジュール９０９は、デジタル放送に多重されたデータも受信可能となされている。
【００９４】
なお、デジタル放送受信モジュール９０９にて受信されたデジタル放送データは、例えば、制御・演算部９０４により圧縮等された後、メモリ部９０５などに記憶（つまり録画）することも可能となされている。また、本実施形態に係る表示制御プログラムを含む各種アプリケーションプログラムは、当該ディスプレイ放送データの一つとして放送されてもよい。
【００９５】
カメラ部９１３は、静止画像や動画像の撮影のための撮像素子，光学系等とその周辺回路、および、撮影補助光を出射するためのライトの駆動回路などからなる。カメラ部９１３による撮影時の静止画データや動画像データは、プレビュー映像データとして映像信号処理部９１１に送られる。これにより、当該カメラ撮影時に、前記ディスプレイパネル９１２にはプレビュー映像が表示される。また、カメラ部９１３にて撮影された静止画データや動画像データを記録する場合、当該撮影された静止画データや動画像データは、制御・演算部９０４に送られて圧縮された後、メモリ部９０５や外部メモリＩ／Ｆ部９１０に接続された外部メモリに記憶される。
【００９６】
非接触通信モジュール９０７は、非接触通信アンテナを通じて、例えば、いわゆるＲＦＩＤ（Ｒａｄｉｏ  Ｆｒｅｑｕｅｎｃｙ−Ｉｄｅｎｔｉｆｉｃａｔｉｏｎ：電波方式認識）や非接触型ＩＣカード等で用いられる非接触通信を行う。
【００９７】
ＧＰＳ（Ｇｌｏｂａｌ  Ｐｏｓｉｔｉｏｎｉｎｇ  Ｓｙｓｔｅｍ）モジュール９０６は、ＧＰＳアンテナを有し、ＧＰＳ測地衛星からのＧＰＳ信号を用いて自端末の現在位置の緯度及び経度を求める。ＧＰＳモジュール９０６により得られたＧＰＳデータ（緯度，経度を表す情報）は制御・演算部９０４へ送られる。これにより、制御・演算部９０４は、自端末の現在位置や移動などを知ることができる。
【００９８】
各種センサ部９１７は、本実施形態に係る表示制御装置１０の状態を検知するための端末状態検知センサなどの各種検知用センサとその周辺回路からなる。各種センサ部９１７としては、一例として傾きセンサ、加速度センサ、方位センサ、温度センサ、湿度センサ、照度センサなどを挙げることができる。各種センサ部９１７による検知信号は、制御・演算部９０４に送られる。これにより、制御・演算部９０４は、表示制御装置１０の状態（傾き、加速度、方位、温度、湿度、照度など）を知ることができる。
【００９９】
タッチパネル９２１は、ユーザによる操作入力を検出可能な検出面を有する入力操作部であり、ディスプレイパネル９１２の全面に配された透明タッチセンサスクリーンセンサからなる。タッチパネル信号処理部９２０は、タッチパネル９２１からのタッチ検出位置やタッチ軌跡、タッチ継続時間、タッチ時間間隔などを計測し、その計測したデータをタッチ検出データとして制御・演算部９０４へ送出する。なお、タッチパネル９２１およびタッチパネル信号処理部９２０は、いわゆるマルチタッチに対応している。
【０１００】
メモリ部９０５は、表示制御装置１０の内部に設けられている内蔵メモリと着脱可能なカード状メモリなどからなる。着脱可能なカード状メモリとしては、いわゆるＳＩＭ（Ｓｕｂｓｃｒｉｂｅｒ  Ｉｄｅｎｔｉｔｙ  Ｍｏｄｕｌｅ）情報などを格納するカードなどを挙げることができる。内蔵メモリは、ＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）とからなる。ＲＯＭは、ＯＳ（Ｏｐｅｒａｔｉｎｇ  Ｓｙｓｔｅｍ）、制御・演算部９０４が各部を制御するための制御プログラム、各種の初期設定値、辞書データ、文字予測変換辞書データ、各種音データ、本実施形態に係る表示制御プログラムを含む各種アプリケーションプログラム等を格納している。
【０１０１】
このＲＯＭは、ＮＡＮＤ型フラッシュメモリ（ＮＡＮＤ−ｔｙｐｅ  ｆｌａｓｈ  ｍｅｍｏｒｙ）或いはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）のような書き換え可能なＲＯＭを含み、電子メールデータ、電話帳やメールアドレス帳のデータ、静止画像や動画像コンテンツのデータ、その他、各種のユーザ設定値などを保存可能となされている。ＲＡＭは、制御・演算部９０４が各種のデータ処理を行う際の作業領域、バッファ領域として随時データを格納する。
【０１０２】
制御・演算部９０４は、ＣＰＵ（中央処理ユニット）からなり、送受信回路部９０３、映像信号処理部９１１、音声信号処理部９１４、ＧＰＳモジュール９０６、非接触通信モジュール９０７、近距離無線通信モジュール９０８、デジタル放送受信モジュール９０９、外部メモリＩ／Ｆ部９１０、カメラ部９１３、各種センサ部９１７、外部入出力端子部９１８、キー操作部９１９、タッチパネル信号処理部９２０など各部を制御し、必要に応じて各種の演算を行う。
【０１０３】
また、制御・演算部９０４は、メモリ部９０５に記憶されている制御プログラムや本実施形態に係る表示制御プログラムを含む各種アプリケーションプログラムを実行する。そして、本実施形態の場合、表示制御プログラムを実行することにより、制御・演算部９０４は、タッチパネル面へのユーザ所望の操作入力位置を略々中心とした当該パネル面上の複数の方向にそれぞれ後述する文字などの所定の情報を割り当てる情報割当制御部として機能する。
【０１０４】
また、本実施形態の場合、表示制御プログラムを実行することにより、制御・演算部９０４は、タッチパネル面上へのユーザによる操作入力方向が前記複数の方向の何れかに略々一致した時、当該略々一致した方向に割り当てられた前記所定の情報をユーザが選択した情報として入力する情報入力制御部として機能する。その他、本実施形態に係る表示制御装置１０は、時間や時刻を計測する時計部、各部へ電力を供給するバッテリとその電力をコントロールするパワーマネージメントＩＣなど、一般的な携帯情報端末に設けられる各構成要素を備えていてもよい。
【０１０５】
＜＜２．むすび＞＞
以上説明したように、本開示の実施形態によれば、コンテンツ表示領域と前記コンテンツ表示領域に隣接する領域との境界線が波形状を有し、かつ、前記境界線が時間の経過とともに変動して表示されるように表示部を制御するための制御信号を生成する表示制御部と、前記制御信号を前記表示部へ出力する出力部と、を備える、表示制御装置を提供することが可能である。かかる構成によれば、ユーザにより強い印象を与えながらコンテンツを閲覧させることが可能である。
【０１０６】
なお、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１０７】
また、コンピュータに内蔵されるＣＰＵ、ＲＯＭおよびＲＡＭなどのハードウェアを、上記した表示制御装置１０が有する構成と同等の機能を発揮させるためのプログラムも作成可能である。また、該プログラムを記録した、コンピュータに読み取り可能な記録媒体も提供され得る。
【０１０８】
なお、以下のような構成も本開示の技術的範囲に属する。
（１）
コンテンツ表示領域と前記コンテンツ表示領域に隣接する領域との境界線が波形状を有し、かつ、前記境界線が時間の経過とともに変動して表示されるように表示部を制御するための制御信号を生成する表示制御部と、
前記制御信号を前記表示部へ出力する出力部と、
を備える、表示制御装置。
（２）
前記表示制御装置は、コンテンツに関連付けられた優先度を取得する優先度取得部を備え、
前記表示制御部は、前記優先度に応じて前記境界線を変動させる、
前記（１）に記載の表示制御装置。
（３）
前記優先度取得部は、ユーザにより入力された値を前記優先度として取得する、
前記（２）に記載の表示制御装置。
（４）
前記優先度取得部は、前記優先度を算出することにより前記優先度を取得する、
前記（２）に記載の表示制御装置。
（５）
前記表示制御部は、前記優先度に応じて前記境界線の変動に関する所定のパラメータを変化させる、
前記（２）〜（４）のいずれか一項に記載の表示制御装置。
（６）
前記表示制御部は、前記優先度に応じて前記所定のパラメータとして前記境界線の変化速度を変化させる、
前記（５）に記載の表示制御装置。
（７）
前記変化速度は、前記境界線が有する波形状の周期である、
前記（６）に記載の表示制御装置。
（８）
前記変化速度は、前記境界線の振動速度である、
前記（６）に記載の表示制御装置。
（９）
前記表示制御部は、前記優先度に応じて前記所定のパラメータとして前記境界線の変動の基準位置を変化させる、
前記（５）に記載の表示制御装置。
（１０）
前記表示制御部は、前記優先度に応じた速度で前記コンテンツにおける表示対象領域を前記コンテンツ内において移動させる、
前記（５）に記載の表示制御装置。
（１１）
前記表示制御装置は、コンテンツに対する認識により前記コンテンツに含まれる所定の領域の位置を認識結果として取得する認識部を備え、
前記表示制御部は、前記認識結果に応じて前記境界線を変動させる、
前記（１）〜（１０）のいずれか一項に記載の表示制御装置。
（１２）
前記表示制御部は、前記所定の領域の位置に応じて前記コンテンツにおける表示対象領域の位置を変化させる、
前記（１１）に記載の表示制御装置。
（１３）
前記所定の領域は、前記コンテンツに所定のテキストデータが含まれる場合、前記所定のテキストデータが存在する領域である、
前記（１２）に記載の表示制御装置。
（１４）
前記所定の領域は、前記コンテンツに所定の物体が含まれる場合、前記所定の物体が存在する領域である、
前記（１２）に記載の表示制御装置。
（１５）
前記境界線は、前記コンテンツ表示領域と前記コンテンツ表示領域に隣接する他のコンテンツ表示領域との境界線である、
前記（１）〜（１４）のいずれか一項に記載の表示制御装置。
（１６）
コンテンツ表示領域と前記コンテンツ表示領域に隣接する領域との境界線が波形状を有し、かつ、前記境界線が時間の経過とともに変動して表示されるように表示部を制御するための制御信号を生成することと、
前記制御信号を前記表示部へ出力することと、
を含む、表示制御方法。
（１７）
コンピュータを、
コンテンツ表示領域と前記コンテンツ表示領域に隣接する領域との境界線が波形状を有し、かつ、前記境界線が時間の経過とともに変動して表示されるように表示部を制御するための制御信号を生成する表示制御部と、
前記制御信号を前記表示部へ出力する出力部と、
を備える表示制御装置として機能させるためのプログラムを記録した、コンピュータに読み取り可能な記録媒体。
【符号の説明】
【０１０９】
１０（１０Ａ，１０Ｂ）  表示制御装置
２０    読取装置
１６１  表示画面
１６２  選択表示モード表示領域
１６３  選択キーワード表示領域
１１１  表示制御部
１１０  制御部
１１２  優先度取得部
１１３  認識部
１２０  操作部
１３０  記憶部
１４０  通信部
１５０  出力部
１６０  表示部
２１１  読取部
２１２  読取部
２２０  優先度入力部
２３０  優先度出力部
Ｃ１〜Ｃ６  コンテンツ表示領域
Ｃ３１，Ｃ３２  表示対象領域
【図１】
2014103544.tif 000003
【図２】
2014103544.tif 000004
【図３】
2014103544.tif 000005
【図４】
2014103544.tif 000006
【図５】
2014103544.tif 000007
【図６】
2014103544.tif 000008
【図７】
2014103544.tif 000009
【図８】
2014103544.tif 000010
【図９】
2014103544.tif 000011
【図１０】
2014103544.tif 000012
【図１１】
2014103544.tif 000013
【図１２】
2014103544.tif 000014
【図１３】
2014103544.tif 000015
【図１４】
2014103544.tif 000016
【図１５】
2014103544.tif 000017
【図１６】
2014103544.tif 000018
【図１７】
2014103544.tif 000019
【図１８】
2014103544.tif 000020
【図１９】
2014103544.tif 000021
【国際調査報告】
2014103544.tif 000022
2014103544.tif 000023
2014103544.tif 000024
2014103544.tif 000025